(57)【要約】【課題】本発明は都市の生ゴミを集中埋め立てて分解する技術を開示した。【解決手段】土壌を含み、前記土壌の上端にはスタンドが固定的に設置され、前記土壌の上端面の中にはケースが固定的に設置され、前記ケースの中には上方に開口した砕きチャンバが設置され、生ゴミを集めて前記砕きチャンバの中に置き、前記砕きチャンバの中にはプッシュピストンがスライドできるように設置され、本発明は最初に生ゴミを集めて砕きチャンバの中に入れ、土壌の中の微生物によって生ゴミを分解する速度を早めるため、砕き軸を通して大きの生ゴミを砕き、それによって微生物と生ゴミとの接触面積を増加でき、プッシュピストンを通して生ゴミを土壌の中に押して埋め立てる。【選択図】図１
2020195987.tif 000002
【特許請求の範囲】
【請求項１】
正面視で、土壌を含み、前記土壌の上端にはスタンドが固定的に設置され、前記土壌の上端面の中にはケースが固定的に設置され、前記ケースの中には上方に開口した砕きチャンバが設置され、生ゴミを集めて前記砕きチャンバの中に置き、前記砕きチャンバの中にはプッシュピストンがスライドできるように設置され、前記プッシュピストンと前記スタンドとの間には昇降装置が連結され、前記昇降装置は前記プッシュピストンを駆動して上下にスライドさせることができ、
前記プッシュピストンの中には砕き装置が設置され、前記砕き装置は砕き軸によって生ゴミを細々に砕くことができ、前記砕き装置が前記昇降装置に回転できるように連結され、前記砕きチャンバの下側内壁の中には下方に開口した連通穴が連通するように設置され、前記ケースの下端には外部連結パイプが固定的に連結され、前記外部連結パイプの中には円錐形穴が上下に貫通するように設置され、前記プッシュピストンは生ゴミを推し動かして前記連通穴と前記円錐形穴とを通過させることができ、更に生ゴミを前記土壌の中に埋め立て、前記土壌の中の微生物によって生ゴミを分解し、
前記砕きチャンバの下側内壁の中には開閉装置が設置され、前記開閉装置は前記円錐形穴と前記砕きチャンバとを仕切り又は繋げることができ、
前記プッシュピストンと前記ケースとの間には時間遅延装置が噛み合うように連結され、前記時間遅延装置と前記開閉装置との間が噛み合うように連結され、前記時間遅延装置は前記開閉装置を遅延駆動し、それによって前記砕き軸は生ゴミを十分に砕くことができることを特徴とする都市の生ゴミを集中埋め立てて分解する技術。
【請求項２】
前記昇降装置は前記スタンドの中に設置された歯車チャンバを含み、前記歯車チャンバの中には主動平歯車が回転できるように設置され、前記主動平歯車の中にはモーター軸が固定的に連結され、前記歯車チャンバの上側内壁の中には大モーターが固定的に設置され、前記モーター軸が前記大モーターに動力が伝達できるように連結され、前記モーター軸の中には下方に開口したスプライン溝が形成されており、前記スプライン溝の中には伸縮軸がスプラインによって連結され、前記伸縮軸の下端が前記砕き装置に連結され、
前記主動平歯車の左右両端が対称で、且つ前記主動平歯車の左右両端には従動平歯車が噛み合うように設置され、前記従動平歯車の中には鉛直スクリューが固定的に連結され、前記プッシュピストンの中には上方に開口した鉛直ネジ穴が左右対称的に設置され、二本の前記鉛直スクリューの下端がそれぞれ両側の前記鉛直ネジ穴の中に伸びており、且つ前記プッシュピストンとネジ山によって連結されていることを特徴とする請求項１に記載の都市の生ゴミを集中埋め立てて分解する技術。
【請求項３】
前記伸縮軸が前記スプライン溝の中でスライドでき、前記伸縮軸が始終に前記モーター軸と噛み合っていることを特徴とする請求項２に記載の都市の生ゴミを集中埋め立てて分解する技術。
【請求項４】
前記砕き装置は両側の前記鉛直ネジ穴のうち対称中心に近接している片側内壁の中に設置された方向変えチャンバを含み、前記方向変えチャンバの中には主動傘歯車が回転できるように設置され、前記伸縮軸の下端が前記方向変えチャンバの中に伸びており、且つ前記主動傘歯車に固定的に連結され、前記主動傘歯車の右端には従動傘歯車が噛み合うように設置され、前記従動傘歯車の中にはジブ軸が固定的に連結され、前記方向変えチャンバの左側内壁の中には回転チャンバが設置され、前記回転チャンバの中には回転輪が回転できるように設置され、前記ジブ軸の左端が前記回転チャンバの中に伸びており、且つ前記回転輪に固定的に連結され、前記回転輪の左端にはコンロッドがヒンジで連結され、前記回転チャンバの下側内壁の中には下方に開口した凹溝が形成されており、前記凹溝の中にはスライドブロックがスライドできるように設置され、前記コンロッドの下端が前記凹溝の中に伸びており、且つ前記スライドブロックにヒンジで連結され、
前記スライドブロックの中には小モーターが固定的に設置され、前記砕き軸の上端が前記小モーターに動力が伝達できるように連結されていることを特徴とする請求項１に記載の都市の生ゴミを集中埋め立てて分解する技術。
【請求項５】
前記時間遅延装置は前記プッシュピストンの左右端面の中に左右対称的に固定的に設置されたラックを含み、前記砕きチャンバの左右両側内壁の中には噛み合い溝が対称的に、且つ連通するように形成されており、前記噛み合い溝の中には噛み合い歯車が回転できるように設置され、前記噛み合い歯車のうち対称中心に近接している一端がそれぞれ両側の前記ラックに噛み合うように連結され、前記噛み合い歯車の中にはねじれ回転軸が固定的に連結され、前記噛み合い溝の前側内壁の中には空きチャンバが設置され、前記ねじれ回転軸の前端が前記空きチャンバの中に伸びており、且つ前記ねじれ回転軸の前端には固定輪が固定的に連結され、前記固定輪の前側には離合歯車が回転できるように設置され、前記離合歯車が前記ねじれ回転軸に回転できるように連結され、前記固定輪と前記離合歯車との間にはぜんまいが固定的に連結され、
前記空きチャンバの中には離合スライドブロックがスライドできるように設置され、前記離合スライドブロックの中には制限穴が前後に貫通するように設置され、前記離合歯車が前記制限穴の中に位置している時に回転できなく、前記離合歯車の中には前方に開口した連結穴が設置され、前記離合スライドブロックの前端にはスライド軸が回転できるように連結され、前記スライド軸の後端が前記連結穴の中に伸びて前記離合歯車と連結されることができ、
前記空きチャンバの前側内壁の中には伝動チャンバが設置され、前記スライド軸の前端が前記伝動チャンバの中に伸びており、且つ前記開閉装置に連結されていることを特徴とする請求項１に記載の都市の生ゴミを集中埋め立てて分解する技術。
【請求項６】
前記空きチャンバのうち対称中心から離れている片側内壁の中には方向ガイド溝が連通するように形成されており、前記方向ガイド溝の中には方向ガイドスライドブロックがスライドできるように設置され、前記方向ガイドスライドブロックのうち対称中心に近接している一端が前記離合スライドブロックに固定的に連結され、前記方向ガイドスライドブロックの後端と前記方向ガイド溝の後側内壁との間には電磁バネが固定的に連結されていることを特徴とする請求項５に記載の都市の生ゴミを集中埋め立てて分解する技術。
【請求項７】
前記プッシュピストンが下降する過程において、前記ラックが前記噛み合い歯車とが始終に噛み合った状態にあることを特徴とする請求項５に記載の都市の生ゴミを集中埋め立てて分解する技術。
【請求項８】
前記離合スライドブロックが後方へスライドすると、前記スライド軸がまずに前記離合歯車と連結され、その後、前記離合歯車が前記制限穴から完全に離脱することを特徴とする請求項５に記載の都市の生ゴミを集中埋め立てて分解する技術。
【請求項９】
前記開閉装置は前記伝動チャンバの中に回転できるように設置されることができる連結歯車を含み、前記スライド軸の前端が前記伝動チャンバの中に伸びており、且つ前記連結歯車にスプラインによって連結され、前記連結歯車のうち対称中心から離れている一端には固定歯車が噛み合うように設置され、前記固定歯車の中には固定回転軸が固定的に連結され、前記固定歯車のうち対称中心から離れている片側には前記固定回転軸に固定的に連結された主動プーリが回転できるように設置され、前記伝動チャンバの下側内壁の中には連通溝が連通するように形成されており、前記連通溝の中には従動プーリが回転できるように設置され、前記主動プーリと前記従動プーリとの間には伝動ベルトが連結され、
前記従動プーリの中には横向きスクリューが固定的に連結され、前記連通溝のうち対称中心に近接している片側内壁の中には収納溝が連通するように形成されており、前記収納溝のうち対称中心に近接している片側内壁が前記連通穴に連通しており、前記収納溝の中には止め板がスライドできるように設置され、前記止め板のうち対称中心に近接している一端が前記連通穴の中に伸びており、前記止め板の中には対称中心に背を向ける方向に開口した横向きネジ穴が設置され、両側の前記横向きスクリューのうち対称中心に近接している一端がそれぞれ両側の前記横向きネジ穴の中に伸びており、且つ前記止め板とネジ山によって連結されていることを特徴とする請求項１に記載の都市の生ゴミを集中埋め立てて分解する技術。
【発明の詳細な説明】
【技術分野】
【０００１】
本発明はごみ処理分野に関わり、具体的には都市の生ゴミを集中埋め立てて分解する技術である。
【背景技術】
【０００２】
日常生活の中に、各種類のゴミを生み出し、生ゴミはありふれるゴミの種類の一つであり、人口が密集している都市に、毎日、大量の生ゴミを生み出し、タイムリー処理しないと、生ゴミは悪臭を放ち、生活環境に影響し、一般的に生ゴミを集中して土壌の中に埋め立て、土壌の中の微生物によって分解し、しかし形が大きいゴミを分解しにくく、時間が経つとゴミが変質して土壌の中の物質のバランスに影響することもあり、本発明は都市の生ゴミを集中埋め立てて分解する技術を開示して上記の問題を解決でき、最初に生ゴミを集めて砕きチャンバの中に入れ、土壌の中の微生物によって生ゴミを分解する速度を早めるため、砕き軸を通して大きの生ゴミを砕き、それによって微生物と生ゴミとの接触面積を増加でき、プッシュピストンを通して生ゴミを土壌の中に押して埋め立てる。
【先行技術文献】
【特許文献】
【０００３】
【特許文献１】中国特許出願公開第１０５２９７８４５号明細書
【発明の概要】
【発明が解決しようとする課題】
【０００４】
技術上の問題：
微生物によって大きの生ゴミを分解する速度が遅く、時間が経つと土壌の中の物質のバランスに影響を与える。
【課題を解決するための手段】
【０００５】
上記の問題を解決するために、本発明の実施例は都市の生ゴミを集中埋め立てて分解する技術を研究開発し、本発明の実施例の都市の生ゴミを集中埋め立てて分解する技術は、土壌を含み、前記土壌の上端にはスタンドが固定的に設置され、前記土壌の上端面の中にはケースが固定的に設置され、前記ケースの中には上方に開口した砕きチャンバが設置され、生ゴミを集めて前記砕きチャンバの中に置き、前記砕きチャンバの中にはプッシュピストンがスライドできるように設置され、前記プッシュピストンと前記スタンドとの間には昇降装置が連結され、前記昇降装置は前記プッシュピストンを駆動して上下にスライドさせることができ、前記プッシュピストンの中には砕き装置が設置され、前記砕き装置は砕き軸によって生ゴミを細々に砕くことができ、前記砕き装置が前記昇降装置に回転できるように連結され、前記砕きチャンバの下側内壁の中には下方に開口した連通穴が連通するように設置され、前記ケースの下端には外部連結パイプが固定的に連結され、前記外部連結パイプの中には円錐形穴が上下に貫通するように設置され、前記プッシュピストンは生ゴミを推し動かして前記連通穴と前記円錐形穴とを通過させることができ、更に生ゴミを前記土壌の中に埋め立て、前記土壌の中の微生物によって生ゴミを分解し、前記砕きチャンバの下側内壁の中には開閉装置が設置され、前記開閉装置は前記円錐形穴と前記砕きチャンバとを仕切り又は繋げることができ、前記プッシュピストンと前記ケースとの間には時間遅延装置が噛み合うように連結され、前記時間遅延装置と前記開閉装置との間が噛み合うように連結され、前記時間遅延装置は前記開閉装置を遅延駆動し、それによって前記砕き軸は生ゴミを十分に砕くことができる。
【０００６】
有益的なように、前記昇降装置は前記スタンドの中に設置された歯車チャンバを含み、前記歯車チャンバの中には主動平歯車が回転できるように設置され、前記主動平歯車の中にはモーター軸が固定的に連結され、前記歯車チャンバの上側内壁の中には大モーターが固定的に設置され、前記モーター軸が前記大モーターに動力が伝達できるように連結され、前記モーター軸の中には下方に開口したスプライン溝が形成されており、前記スプライン溝の中には伸縮軸がスプラインによって連結され、前記伸縮軸の下端が前記砕き装置に連結され、前記主動平歯車の左右両端が対称で、且つ前記主動平歯車の左右両端には従動平歯車が噛み合うように設置され、前記従動平歯車の中には鉛直スクリューが固定的に連結され、前記プッシュピストンの中には上方に開口した鉛直ネジ穴が左右対称的に設置され、二本の前記鉛直スクリューの下端がそれぞれ両側の前記鉛直ネジ穴の中に伸びており、且つ前記プッシュピストンとネジ山によって連結され、前記大モーターを始動した後、前記モーター軸と前記伸縮軸とによって前記砕き装置を駆動することができ、それと同時に前記主動平歯車によって前記従動平歯車を回転連動させ、更に前記鉛直スクリューを回転連動させ、更に前記プッシュピストンを昇降連動させて前記砕きチャンバの中の生ゴミを押すことができる。
【０００７】
有益なように、前記伸縮軸が前記スプライン溝の中でスライドでき、前記伸縮軸が始終に前記モーター軸と噛み合っている。
【０００８】
有益なように、前記砕き装置は両側の前記鉛直ネジ穴のうち対称中心に近接している片側内壁の中に設置された方向変えチャンバを含み、前記方向変えチャンバの中には主動傘歯車が回転できるように設置され、前記伸縮軸の下端が前記方向変えチャンバの中に伸びており、且つ前記主動傘歯車に固定的に連結され、前記主動傘歯車の右端には従動傘歯車が噛み合うように設置され、前記従動傘歯車の中にはジブ軸が固定的に連結され、前記方向変えチャンバの左側内壁の中には回転チャンバが設置され、前記回転チャンバの中には回転輪が回転できるように設置され、前記ジブ軸の左端が前記回転チャンバの中に伸びており、且つ前記回転輪に固定的に連結され、前記回転輪の左端にはコンロッドがヒンジで連結され、前記回転チャンバの下側内壁の中には下方に開口した凹溝が形成されており、前記凹溝の中にはスライドブロックがスライドできるように設置され、前記コンロッドの下端が前記凹溝の中に伸びており、且つ前記スライドブロックにヒンジで連結され、前記スライドブロックの中には小モーターが固定的に設置され、前記砕き軸の上端が前記小モーターに動力が伝達できるように連結され、前記スライドブロックが上下に往復してスライドすることができ、更に前記砕き軸を上下に往復してスライド連動させて生ゴミを細々に砕くことができ、また前記小モーターが前記砕き軸を駆動して回転させることができ、それによって生ゴミを砕くことができる。
【０００９】
有益なように、前記時間遅延装置は前記プッシュピストンの左右端面の中に左右対称的に固定的に設置されたラックを含み、前記砕きチャンバの左右両側内壁の中には噛み合い溝が対称的に、且つ連通するように形成されており、前記噛み合い溝の中には噛み合い歯車が回転できるように設置され、前記噛み合い歯車のうち対称中心に近接している一端がそれぞれ両側の前記ラックに噛み合うように連結され、前記噛み合い歯車の中にはねじれ回転軸が固定的に連結され、前記噛み合い溝の前側内壁の中には空きチャンバが設置され、前記ねじれ回転軸の前端が前記空きチャンバの中に伸びており、且つ前記ねじれ回転軸の前端には固定輪が固定的に連結され、前記固定輪の前側には離合歯車が回転できるように設置され、前記離合歯車が前記ねじれ回転軸に回転できるように連結され、前記固定輪と前記離合歯車との間にはぜんまいが固定的に連結され、前記空きチャンバの中には離合スライドブロックがスライドできるように設置され、前記離合スライドブロックの中には制限穴が前後に貫通するように設置され、前記離合歯車が前記制限穴の中に位置している時に回転できなく、前記離合歯車の中には前方に開口した連結穴が設置され、前記離合スライドブロックの前端にはスライド軸が回転できるように連結され、前記スライド軸の後端が前記連結穴の中に伸びて前記離合歯車と連結されることができ、前記空きチャンバの前側内壁の中には伝動チャンバが設置され、前記スライド軸の前端が前記伝動チャンバの中に伸びており、且つ前記開閉装置に連結されている。
【００１０】
好ましくは、前記空きチャンバのうち対称中心から離れている片側内壁の中には方向ガイド溝が連通するように形成されており、前記方向ガイド溝の中には方向ガイドスライドブロックがスライドできるように設置され、前記方向ガイドスライドブロックのうち対称中心に近接している一端が前記離合スライドブロックに固定的に連結され、前記方向ガイドスライドブロックの後端と前記方向ガイド溝の後側内壁との間には電磁バネが固定的に連結され、前記電磁バネを通電させて前記方向ガイドスライドブロックをスライド連動させることができ、更に前記離合スライドブロックをスライド連動させることができる。
【００１１】
有益なように、前記プッシュピストンが下降する過程において、前記ラックが前記噛み合い歯車とが始終に噛み合った状態にある。
【００１２】
有益なように、前記離合スライドブロックが後方へスライドすると、前記スライド軸がまずに前記離合歯車と連結され、その後、前記離合歯車が前記制限穴から完全に離脱する。
【００１３】
有益なように、前記開閉装置は前記伝動チャンバの中に回転できるように設置されることができる連結歯車を含み、前記スライド軸の前端が前記伝動チャンバの中に伸びており、且つ前記連結歯車にスプラインによって連結され、前記連結歯車のうち対称中心から離れている一端には固定歯車が噛み合うように設置され、前記固定歯車の中には固定回転軸が固定的に連結され、前記固定歯車のうち対称中心から離れている片側には前記固定回転軸に固定的に連結された主動プーリが回転できるように設置され、前記伝動チャンバの下側内壁の中には連通溝が連通するように形成されており、前記連通溝の中には従動プーリが回転できるように設置され、前記主動プーリと前記従動プーリとの間には伝動ベルトが連結され、前記従動プーリの中には横向きスクリューが固定的に連結され、前記連通溝のうち対称中心に近接している片側内壁の中には収納溝が連通するように形成されており、前記収納溝のうち対称中心に近接している片側内壁が前記連通穴に連通しており、前記収納溝の中には止め板がスライドできるように設置され、前記止め板のうち対称中心に近接している一端が前記連通穴の中に伸びており、前記止め板の中には対称中心に背を向ける方向に開口した横向きネジ穴が設置され、両側の前記横向きスクリューのうち対称中心に近接している一端がそれぞれ両側の前記横向きネジ穴の中に伸びており、且つ前記止め板とネジ山によって連結されている。
【発明の効果】
【００１４】
本発明の有益な効果は：最初に生ゴミを集めて砕きチャンバの中に入れ、土壌の中の微生物によって生ゴミを分解する速度を早めるため、砕き軸を通して大きの生ゴミを砕き、それによって微生物と生ゴミとの接触面積を増加でき、プッシュピストンを通して生ゴミを土壌の中に押して埋め立てる。
【図面の簡単な説明】
【００１５】
説明しやすいために、本発明を下記の具体的な実施例及び附図をもって詳しく説明する。下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の都市の生ゴミを集中埋め立てて分解する技術の全体構成概略図
【図２】図２は図１の「Ａ」の拡大概略図
【図３】図３は図１の「Ｂ」の拡大概略図
【図４】図４は図１の「Ｃ」の拡大概略図
【図５】図５は図３の「Ｄ―Ｄ」方向の構成概略図
【図６】図６は図５の「Ｅ」の拡大概略図
【発明を実施するための形態】
【００１７】
本発明は都市の生ゴミを集中埋め立てて分解する技術に関わり、主に都市にある大量の生ゴミを集めて埋め立てるのに応用し、下記に本発明の付図を合わせて本発明にさらなる説明を行う。
【００１８】
本発明に説明する都市の生ゴミを集中埋め立てて分解する技術は、土壌１１を含み、前記土壌１１の上端にはスタンド１５が固定的に設置され、前記土壌１１の上端面の中にはケース１４が固定的に設置され、前記ケース１４の中には上方に開口した砕きチャンバ６５が設置され、生ゴミを集めて前記砕きチャンバ６５の中に置き、前記砕きチャンバ６５の中にはプッシュピストン２６がスライドできるように設置され、前記プッシュピストン２６と前記スタンド１５との間には昇降装置１０３が連結され、前記昇降装置１０３は前記プッシュピストン２６を駆動して上下にスライドさせることができ、前記プッシュピストン２６の中には砕き装置１００が設置され、前記砕き装置１００は砕き軸３７によって生ゴミを細々に砕くことができ、前記砕き装置１００が前記昇降装置１０３に回転できるように連結され、前記砕きチャンバ６５の下側内壁の中には下方に開口した連通穴５０が連通するように設置され、前記ケース１４の下端には外部連結パイプ１２が固定的に連結され、前記外部連結パイプ１２の中には円錐形穴１３が上下に貫通するように設置され、前記プッシュピストン２６は生ゴミを推し動かして前記連通穴５０と前記円錐形穴１３とを通過させることができ、更に生ゴミを前記土壌１１の中に埋め立て、前記土壌１１の中の微生物によって生ゴミを分解し、前記砕きチャンバ６５の下側内壁の中には開閉装置１０２が設置され、前記開閉装置１０２は前記円錐形穴１３と前記砕きチャンバ６５とを仕切り又は繋げることができ、前記プッシュピストン２６と前記ケース１４との間には時間遅延装置１０１が噛み合うように連結され、前記時間遅延装置１０１と前記開閉装置１０２との間が噛み合うように連結され、前記時間遅延装置１０１は前記開閉装置１０２を遅延駆動し、それによって前記砕き軸３７は生ゴミを十分に砕くことができる。
【００１９】
実施例によって、下記に前記昇降装置１０３について詳しく説明し、前記昇降装置１０３は前記スタンド１５の中に設置された歯車チャンバ１６を含み、前記歯車チャンバ１６の中には主動平歯車２１が回転できるように設置され、前記主動平歯車２１の中にはモーター軸１８が固定的に連結され、前記歯車チャンバ１６の上側内壁の中には大モーター２２が固定的に設置され、前記モーター軸１８が前記大モーター２２に動力が伝達できるように連結され、前記モーター軸１８の中には下方に開口したスプライン溝２０が形成されており、前記スプライン溝２０の中には伸縮軸１９がスプラインによって連結され、前記伸縮軸１９の下端が前記砕き装置１００に連結され、前記主動平歯車２１の左右両端が対称で、且つ前記主動平歯車２１の左右両端には従動平歯車２３が噛み合うように設置され、前記従動平歯車２３の中には鉛直スクリュー１７が固定的に連結され、前記プッシュピストン２６の中には上方に開口した鉛直ネジ穴３５が左右対称的に設置され、二本の前記鉛直スクリュー１７の下端がそれぞれ両側の前記鉛直ネジ穴３５の中に伸びており、且つ前記プッシュピストン２６とネジ山によって連結され、前記大モーター２２を始動した後、前記モーター軸１８と前記伸縮軸１９とによって前記砕き装置１００を駆動することができ、それと同時に前記主動平歯車２１によって前記従動平歯車２３を回転連動させ、更に前記鉛直スクリュー１７を回転連動させ、更に前記プッシュピストン２６を昇降連動させて前記砕きチャンバ６５の中の生ゴミを押すことができる。
【００２０】
有益なように、前記伸縮軸１９が前記スプライン溝２０の中でスライドでき、前記伸縮軸１９が始終に前記モーター軸１８と噛み合っている。
【００２１】
実施例によって、下記に前記砕き装置１００について詳しく説明し、前記砕き装置１００は両側の前記鉛直ネジ穴３５のうち対称中心に近接している片側内壁の中に設置された方向変えチャンバ２４を含み、前記方向変えチャンバ２４の中には主動傘歯車４４が回転できるように設置され、前記伸縮軸１９の下端が前記方向変えチャンバ２４の中に伸びており、且つ前記主動傘歯車４４に固定的に連結され、前記主動傘歯車４４の右端には従動傘歯車２５が噛み合うように設置され、前記従動傘歯車２５の中にはジブ軸４２が固定的に連結され、前記方向変えチャンバ２４の左側内壁の中には回転チャンバ４３が設置され、前記回転チャンバ４３の中には回転輪４１が回転できるように設置され、前記ジブ軸４２の左端が前記回転チャンバ４３の中に伸びており、且つ前記回転輪４１に固定的に連結され、前記回転輪４１の左端にはコンロッド４０がヒンジで連結され、前記回転チャンバ４３の下側内壁の中には下方に開口した凹溝３６が形成されており、前記凹溝３６の中にはスライドブロック３８がスライドできるように設置され、前記コンロッド４０の下端が前記凹溝３６の中に伸びており、且つ前記スライドブロック３８にヒンジで連結され、前記スライドブロック３８の中には小モーター３９が固定的に設置され、前記砕き軸３７の上端が前記小モーター３９に動力が伝達できるように連結され、前記スライドブロック３８が上下に往復してスライドすることができ、更に前記砕き軸３７を上下に往復してスライド連動させて生ゴミを細々に砕くことができ、また前記小モーター３９が前記砕き軸３７を駆動して回転させることができ、それによって生ゴミを砕くことができる。
【００２２】
実施例によって、下記に前記時間遅延装置１０１について詳しく説明し、前記時間遅延装置１０１は前記プッシュピストン２６の左右端面の中に左右対称的に固定的に設置されたラック３４を含み、前記砕きチャンバ６５の左右両側内壁の中には噛み合い溝５１が対称的に、且つ連通するように形成されており、前記噛み合い溝５１の中には噛み合い歯車５３が回転できるように設置され、前記噛み合い歯車５３のうち対称中心に近接している一端がそれぞれ両側の前記ラック３４に噛み合うように連結され、前記噛み合い歯車５３の中にはねじれ回転軸５２が固定的に連結され、前記噛み合い溝５１の前側内壁の中には空きチャンバ５４が設置され、前記ねじれ回転軸５２の前端が前記空きチャンバ５４の中に伸びており、且つ前記ねじれ回転軸５２の前端には固定輪５５が固定的に連結され、前記固定輪５５の前側には離合歯車６４が回転できるように設置され、前記離合歯車６４が前記ねじれ回転軸５２に回転できるように連結され、前記固定輪５５と前記離合歯車６４との間にはぜんまい５６が固定的に連結され、前記空きチャンバ５４の中には離合スライドブロック６０がスライドできるように設置され、前記離合スライドブロック６０の中には制限穴５７が前後に貫通するように設置され、前記離合歯車６４が前記制限穴５７の中に位置している時に回転できなく、前記離合歯車６４の中には前方に開口した連結穴５８が設置され、前記離合スライドブロック６０の前端にはスライド軸５９が回転できるように連結され、前記スライド軸５９の後端が前記連結穴５８の中に伸びて前記離合歯車６４と連結されることができ、前記空きチャンバ５４の前側内壁の中には伝動チャンバ３１が設置され、前記スライド軸５９の前端が前記伝動チャンバ３１の中に伸びており、且つ前記開閉装置１０２に連結されている。
【００２３】
有益なように、前記空きチャンバ５４のうち対称中心から離れている片側内壁の中には方向ガイド溝６３が連通するように形成されており、前記方向ガイド溝６３の中には方向ガイドスライドブロック６１がスライドできるように設置され、前記方向ガイドスライドブロック６１のうち対称中心に近接している一端が前記離合スライドブロック６０に固定的に連結され、前記方向ガイドスライドブロック６１の後端と前記方向ガイド溝６３の後側内壁との間には電磁バネ６２が固定的に連結され、前記電磁バネ６２を通電させて前記方向ガイドスライドブロック６１をスライド連動させることができ、更に前記離合スライドブロック６０をスライド連動させることができる。
【００２４】
有益なように、前記プッシュピストン２６が下降する過程において、前記ラック３４が前記噛み合い歯車５３とが始終に噛み合った状態にある。
【００２５】
有益なように、前記離合スライドブロック６０が後方へスライドすると、前記スライド軸５９がまずに前記離合歯車６４と連結され、その後、前記離合歯車６４が前記制限穴５７から完全に離脱する。
【００２６】
実施例によって、下記に前記開閉装置１０２について詳しく説明し、前記開閉装置１０２は前記伝動チャンバ３１の中に回転できるように設置されることができる連結歯車２７を含み、前記スライド軸５９の前端が前記伝動チャンバ３１の中に伸びており、且つ前記連結歯車２７にスプラインによって連結され、前記連結歯車２７のうち対称中心から離れている一端には固定歯車３０が噛み合うように設置され、前記固定歯車３０の中には固定回転軸２９が固定的に連結され、前記固定歯車３０のうち対称中心から離れている片側には前記固定回転軸２９に固定的に連結された主動プーリ２８が回転できるように設置され、前記伝動チャンバ３１の下側内壁の中には連通溝３２が連通するように形成されており、前記連通溝３２の中には従動プーリ４５が回転できるように設置され、前記主動プーリ２８と前記従動プーリ４５との間には伝動ベルト３３が連結され、前記従動プーリ４５の中には横向きスクリュー４６が固定的に連結され、前記連通溝３２のうち対称中心に近接している片側内壁の中には収納溝４９が連通するように形成されており、前記収納溝４９のうち対称中心に近接している片側内壁が前記連通穴５０に連通しており、前記収納溝４９の中には止め板４８がスライドできるように設置され、前記止め板４８のうち対称中心に近接している一端が前記連通穴５０の中に伸びており、前記止め板４８の中には対称中心に背を向ける方向に開口した横向きネジ穴４７が設置され、両側の前記横向きスクリュー４６のうち対称中心に近接している一端がそれぞれ両側の前記横向きネジ穴４７の中に伸びており、且つ前記止め板４８とネジ山によって連結されている。
【００２７】
下記に図１〜６を合わせて本発明の使用スッテプについて詳しく説明する：
【００２８】
初期状態の時、プッシュピストン２６が上限界位置にあり、且つ砕きチャンバ６５の外側に位置しており、この時、両側の止め板４８のうち対称中心に近接している一端が当接しており、この時、砕きチャンバ６５と円錐形穴１３と連通していなく、この時、離合歯車６４が制限穴５７の中に位置しており、この時、スライド軸５９と離合歯車６４とが噛み合っていない。
【００２９】
最初に、生ゴミを砕きチャンバ６５の中に入れ、それと同時に大モーター２２と小モーター３９とを始動し、大モーター２２がモーター軸１８を回転連動させ、更に主動平歯車２１を回転連動させ、更に従動平歯車２３を回転連動させ、更に鉛直スクリュー１７を回転連動させ、更にプッシュピストン２６を下降連動させて砕きチャンバ６５の中に伸び、更に生ゴミをプッシュし、それと同時に小モーター３９が砕き軸３７を回転連動させて生ゴミを砕き、モーター軸１８が回転して伸縮軸１９を回転連動させ、更に主動傘歯車４４を回転連動させ、更に従動傘歯車２５を回転連動させ、更にジブ軸４２によって回転輪４１を回転連動させ、更にコンロッド４０を上下に往復してスライド連動させ、更にスライドブロック３８を推し動かして上下に往復してスライドさせ、更に砕き軸３７を連動させて上下に往復してスライド連動させて生ゴミを砕き、プッシュピストン２６が下方へスライドする過程において、ラック３４によって噛み合い歯車５３を回転連動させ、ねじれ回転軸５２によって固定輪５５を回転連動させ、この時、離合歯車６４が制限穴５７の中に位置しており、この時、離合歯車６４が回転できなく、固定輪５５と離合歯車６４とが対向回転を行え、更にぜんまいをねじってぜんまいにエネルギーを有させ、砕き軸３７によって生ゴミを十分に砕いた後、電磁バネ６２を通電させ、更に方向ガイドスライドブロック６１を後方へスライド連動させ、更に離合スライドブロック６０を後方へスライド連動させ、更にスライド軸５９をスライド連動させて後方へ連結穴５８の中に入らせて離合歯車６４と連結し、それと同時に離合歯車６４がスライドして制限穴５７を出て、スライド軸５９はまずに離合歯車６４と連結され、その後、離合歯車６４が完全に制限穴５７から離脱し、離合歯車６４が完全に制限穴５７から離脱した後、ぜんまい５６の弾力作用のもとで、離合歯車６４を回転連動させ、この時に離合歯車６４の回転速度は固定輪５５の回転速度より大きく、離合歯車６４がスライド軸５９によって連結歯車２７を回転連動させ、更に固定歯車３０を回転連動させ、更に固定回転軸２９によって主動プーリ２８を回転連動させ、それによって伝動ベルト３３によって従動プーリ４５を回連動させ、更に横向きスクリュー４６を回転連動させ、更に止め板４８をスライド連動させて連通穴５０を開け、この時、砕きチャンバ６５と円錐形穴１３とを連通させ、この時、プッシュピストン２６が下方へスライドし続け、且つ細々に砕かれた生ゴミを推し動かして連通穴５０と円錐形穴１３とを通過させて土壌１１の中に入らせ、連通穴５０が完全に開けられた後、ぜんまい５６のエネルギーは完全に放出され、離合歯車６４が回転しなくなり、ぜんまい５６を逆方向にねじってエネルギーを蓄積し、プッシュピストン２６が完全に生ゴミを砕きチャンバ６５の外部に推したまでぜんまい５６を逆方向にねじってエネルギーを蓄積することを止め、この時に小モーター３９を止めて大モーター２２を逆方向に回転させ、プッシュピストン２６が上昇し、固定輪５５が逆方向に回転し、ぜんまい５６がエネルギーを放出して離合歯車６４を回転連動させ、更に止め板４８をスライドさせて連通穴５０を閉じ、ラック３４が噛み合い歯車５３との噛み合いから離脱するまで電磁バネ６２を停電させる。
【００３０】
本発明の有益な効果は：最初に生ゴミを集めて砕きチャンバの中に入れ、土壌の中の微生物によって生ゴミを分解する速度を早めるため、砕き軸を通して大きの生ゴミを砕き、それによって微生物と生ゴミとの接触面積を増加でき、プッシュピストンを通して生ゴミを土壌の中に押して埋め立てる。
【００３１】
上記の方式によって、当業者は本発明の範囲内で作動モードに基づいて様々な変わりを行える。
【図１】
2020195987.tif 000003
【図２】
2020195987.tif 000004
【図３】
2020195987.tif 000005
【図４】
2020195987.tif 000006
【図５】
2020195987.tif 000007
【図６】
2020195987.tif 000008
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
正面視で、土壌を含み、前記土壌の上端にはスタンドが固定的に設置され、前記土壌の上端面の中にはケースが固定的に設置され、前記ケースの中には上方に開口した砕きチャンバが設置され、生ゴミを集めて前記砕きチャンバの中に置き、前記砕きチャンバの中にはプッシュピストンがスライドできるように設置され、前記プッシュピストンと前記スタンドとの間には昇降装置が連結され、前記昇降装置は前記プッシュピストンを駆動して上下にスライドさせることができ、
前記プッシュピストンの中には砕き装置が設置され、前記砕き装置は砕き軸によって生ゴミを細々に砕くことができ、前記砕き装置が前記昇降装置に回転できるように連結され、前記砕きチャンバの下側内壁の中には下方に開口した連通穴が連通するように設置され、前記ケースの下端には外部連結パイプが固定的に連結され、前記外部連結パイプの中には円錐形穴が上下に貫通するように設置され、前記プッシュピストンは生ゴミを推し動かして前記連通穴と前記円錐形穴とを通過させることができ、更に生ゴミを前記土壌の中に埋め立て、前記土壌の中の微生物によって生ゴミを分解し、
前記砕きチャンバの下側内壁の中には開閉装置が設置され、前記開閉装置は前記円錐形穴と前記砕きチャンバとを仕切り又は繋げることができ、
前記プッシュピストンと前記ケースとの間には時間遅延装置が噛み合うように連結され、前記時間遅延装置と前記開閉装置との間が噛み合うように連結され、前記時間遅延装置は前記開閉装置を遅延駆動し、それによって前記砕き軸は生ゴミを十分に砕くことができることを特徴とする都市の生ゴミを集中埋め立てて分解する装置。
【請求項２】
前記昇降装置は前記スタンドの中に設置された歯車チャンバを含み、前記歯車チャンバの中には主動平歯車が回転できるように設置され、前記主動平歯車の中にはモーター軸が固定的に連結され、前記歯車チャンバの上側内壁の中には大モーターが固定的に設置され、前記モーター軸が前記大モーターに動力が伝達できるように連結され、前記モーター軸の中には下方に開口したスプライン溝が形成されており、前記スプライン溝の中には伸縮軸がスプラインによって連結され、前記伸縮軸の下端が前記砕き装置に連結され、
前記主動平歯車の左右両端が対称で、且つ前記主動平歯車の左右両端には従動平歯車が噛み合うように設置され、前記従動平歯車の中には鉛直スクリューが固定的に連結され、前記プッシュピストンの中には上方に開口した鉛直ネジ穴が左右対称的に設置され、二本の前記鉛直スクリューの下端がそれぞれ両側の前記鉛直ネジ穴の中に伸びており、且つ前記プッシュピストンとネジ山によって連結されていることを特徴とする請求項１に記載の都市の生ゴミを集中埋め立てて分解する装置。
【請求項３】
前記伸縮軸が前記スプライン溝の中でスライドでき、前記伸縮軸が始終に前記モーター軸と噛み合っていることを特徴とする請求項２に記載の都市の生ゴミを集中埋め立てて分解する装置。
【請求項４】
前記砕き装置は両側の前記鉛直ネジ穴のうち対称中心に近接している片側内壁の中に設置された方向変えチャンバを含み、前記方向変えチャンバの中には主動傘歯車が回転できるように設置され、前記伸縮軸の下端が前記方向変えチャンバの中に伸びており、且つ前記主動傘歯車に固定的に連結され、前記主動傘歯車の右端には従動傘歯車が噛み合うように設置され、前記従動傘歯車の中にはジブ軸が固定的に連結され、前記方向変えチャンバの左側内壁の中には回転チャンバが設置され、前記回転チャンバの中には回転輪が回転できるように設置され、前記ジブ軸の左端が前記回転チャンバの中に伸びており、且つ前記回転輪に固定的に連結され、前記回転輪の左端にはコンロッドがヒンジで連結され、前記回転チャンバの下側内壁の中には下方に開口した凹溝が形成されており、前記凹溝の中にはスライドブロックがスライドできるように設置され、前記コンロッドの下端が前記凹溝の中に伸びており、且つ前記スライドブロックにヒンジで連結され、
前記スライドブロックの中には小モーターが固定的に設置され、前記砕き軸の上端が前記小モーターに動力が伝達できるように連結されていることを特徴とする請求項１に記載の都市の生ゴミを集中埋め立てて分解する装置。
【請求項５】
前記時間遅延装置は前記プッシュピストンの左右端面の中に左右対称的に固定的に設置されたラックを含み、前記砕きチャンバの左右両側内壁の中には噛み合い溝が対称的に、且つ連通するように形成されており、前記噛み合い溝の中には噛み合い歯車が回転できるように設置され、前記噛み合い歯車のうち対称中心に近接している一端がそれぞれ両側の前記ラックに噛み合うように連結され、前記噛み合い歯車の中にはねじれ回転軸が固定的に連結され、前記噛み合い溝の前側内壁の中には空きチャンバが設置され、前記ねじれ回転軸の前端が前記空きチャンバの中に伸びており、且つ前記ねじれ回転軸の前端には固定輪が固定的に連結され、前記固定輪の前側には離合歯車が回転できるように設置され、前記離合歯車が前記ねじれ回転軸に回転できるように連結され、前記固定輪と前記離合歯車との間にはぜんまいが固定的に連結され、
前記空きチャンバの中には離合スライドブロックがスライドできるように設置され、前記離合スライドブロックの中には制限穴が前後に貫通するように設置され、前記離合歯車が前記制限穴の中に位置している時に回転できなく、前記離合歯車の中には前方に開口した連結穴が設置され、前記離合スライドブロックの前端にはスライド軸が回転できるように連結され、前記スライド軸の後端が前記連結穴の中に伸びて前記離合歯車と連結されることができ、
前記空きチャンバの前側内壁の中には伝動チャンバが設置され、前記スライド軸の前端が前記伝動チャンバの中に伸びており、且つ前記開閉装置に連結されていることを特徴とする請求項１に記載の都市の生ゴミを集中埋め立てて分解する装置。
【請求項６】
前記空きチャンバのうち対称中心から離れている片側内壁の中には方向ガイド溝が連通するように形成されており、前記方向ガイド溝の中には方向ガイドスライドブロックがスライドできるように設置され、前記方向ガイドスライドブロックのうち対称中心に近接している一端が前記離合スライドブロックに固定的に連結され、前記方向ガイドスライドブロックの後端と前記方向ガイド溝の後側内壁との間には電磁バネが固定的に連結されていることを特徴とする請求項５に記載の都市の生ゴミを集中埋め立てて分解する装置。
【請求項７】
前記プッシュピストンが下降する過程において、前記ラックが前記噛み合い歯車とが始終に噛み合った状態にあることを特徴とする請求項５に記載の都市の生ゴミを集中埋め立てて分解する装置。
【請求項８】
前記離合スライドブロックが後方へスライドすると、前記スライド軸がまずに前記離合歯車と連結され、その後、前記離合歯車が前記制限穴から完全に離脱することを特徴とする請求項５に記載の都市の生ゴミを集中埋め立てて分解する装置。
【請求項９】
前記開閉装置は前記伝動チャンバの中に回転できるように設置されることができる連結歯車を含み、前記スライド軸の前端が前記伝動チャンバの中に伸びており、且つ前記連結歯車にスプラインによって連結され、前記連結歯車のうち対称中心から離れている一端には固定歯車が噛み合うように設置され、前記固定歯車の中には固定回転軸が固定的に連結され、前記固定歯車のうち対称中心から離れている片側には前記固定回転軸に固定的に連結された主動プーリが回転できるように設置され、前記伝動チャンバの下側内壁の中には連通溝が連通するように形成されており、前記連通溝の中には従動プーリが回転できるように設置され、前記主動プーリと前記従動プーリとの間には伝動ベルトが連結され、
前記従動プーリの中には横向きスクリューが固定的に連結され、前記連通溝のうち対称中心に近接している片側内壁の中には収納溝が連通するように形成されており、前記収納溝のうち対称中心に近接している片側内壁が前記連通穴に連通しており、前記収納溝の中には止め板がスライドできるように設置され、前記止め板のうち対称中心に近接している一端が前記連通穴の中に伸びており、前記止め板の中には対称中心に背を向ける方向に開口した横向きネジ穴が設置され、両側の前記横向きスクリューのうち対称中心に近接している一端がそれぞれ両側の前記横向きネジ穴の中に伸びており、且つ前記止め板とネジ山によって連結されていることを特徴とする請求項１に記載の都市の生ゴミを集中埋め立てて分解する装置。
【手続補正２】
【補正対象書類名】明細書
【補正対象項目名】全文
【補正方法】変更
【補正の内容】
【発明の詳細な説明】
【技術分野】
【０００１】
本発明はごみ処理分野に関わり、具体的には都市の生ゴミを集中埋め立てて分解する装置である。
【背景技術】
【０００２】
日常生活の中に、各種類のゴミを生み出し、生ゴミはありふれるゴミの種類の一つであり、人口が密集している都市に、毎日、大量の生ゴミを生み出し、タイムリー処理しないと、生ゴミは悪臭を放ち、生活環境に影響し、一般的に生ゴミを集中して土壌の中に埋め立て、土壌の中の微生物によって分解し、しかし形が大きいゴミを分解しにくく、時間が経つとゴミが変質して土壌の中の物質のバランスに影響することもあり、本発明は都市の生ゴミを集中埋め立てて分解する装置を開示して上記の問題を解決でき、最初に生ゴミを集めて砕きチャンバの中に入れ、土壌の中の微生物によって生ゴミを分解する速度を早めるため、砕き軸を通して大きの生ゴミを砕き、それによって微生物と生ゴミとの接触面積を増加でき、プッシュピストンを通して生ゴミを土壌の中に押して埋め立てる。
【先行技術文献】
【特許文献】
【０００３】
【特許文献１】中国特許出願公開第１０５２９７８４５号明細書
【発明の概要】
【発明が解決しようとする課題】
【０００４】
技術上の問題：
微生物によって大きの生ゴミを分解する速度が遅く、時間が経つと土壌の中の物質のバランスに影響を与える。
【課題を解決するための手段】
【０００５】
上記の問題を解決するために、本発明の実施例は都市の生ゴミを集中埋め立てて分解する装置を研究開発し、本発明の実施例の都市の生ゴミを集中埋め立てて分解する装置は、土壌を含み、前記土壌の上端にはスタンドが固定的に設置され、前記土壌の上端面の中にはケースが固定的に設置され、前記ケースの中には上方に開口した砕きチャンバが設置され、生ゴミを集めて前記砕きチャンバの中に置き、前記砕きチャンバの中にはプッシュピストンがスライドできるように設置され、前記プッシュピストンと前記スタンドとの間には昇降装置が連結され、前記昇降装置は前記プッシュピストンを駆動して上下にスライドさせることができ、前記プッシュピストンの中には砕き装置が設置され、前記砕き装置は砕き軸によって生ゴミを細々に砕くことができ、前記砕き装置が前記昇降装置に回転できるように連結され、前記砕きチャンバの下側内壁の中には下方に開口した連通穴が連通するように設置され、前記ケースの下端には外部連結パイプが固定的に連結され、前記外部連結パイプの中には円錐形穴が上下に貫通するように設置され、前記プッシュピストンは生ゴミを推し動かして前記連通穴と前記円錐形穴とを通過させることができ、更に生ゴミを前記土壌の中に埋め立て、前記土壌の中の微生物によって生ゴミを分解し、前記砕きチャンバの下側内壁の中には開閉装置が設置され、前記開閉装置は前記円錐形穴と前記砕きチャンバとを仕切り又は繋げることができ、前記プッシュピストンと前記ケースとの間には時間遅延装置が噛み合うように連結され、前記時間遅延装置と前記開閉装置との間が噛み合うように連結され、前記時間遅延装置は前記開閉装置を遅延駆動し、それによって前記砕き軸は生ゴミを十分に砕くことができる。
【０００６】
有益的なように、前記昇降装置は前記スタンドの中に設置された歯車チャンバを含み、前記歯車チャンバの中には主動平歯車が回転できるように設置され、前記主動平歯車の中にはモーター軸が固定的に連結され、前記歯車チャンバの上側内壁の中には大モーターが固定的に設置され、前記モーター軸が前記大モーターに動力が伝達できるように連結され、前記モーター軸の中には下方に開口したスプライン溝が形成されており、前記スプライン溝の中には伸縮軸がスプラインによって連結され、前記伸縮軸の下端が前記砕き装置に連結され、前記主動平歯車の左右両端が対称で、且つ前記主動平歯車の左右両端には従動平歯車が噛み合うように設置され、前記従動平歯車の中には鉛直スクリューが固定的に連結され、前記プッシュピストンの中には上方に開口した鉛直ネジ穴が左右対称的に設置され、二本の前記鉛直スクリューの下端がそれぞれ両側の前記鉛直ネジ穴の中に伸びており、且つ前記プッシュピストンとネジ山によって連結され、前記大モーターを始動した後、前記モーター軸と前記伸縮軸とによって前記砕き装置を駆動することができ、それと同時に前記主動平歯車によって前記従動平歯車を回転連動させ、更に前記鉛直スクリューを回転連動させ、更に前記プッシュピストンを昇降連動させて前記砕きチャンバの中の生ゴミを押すことができる。
【０００７】
有益なように、前記伸縮軸が前記スプライン溝の中でスライドでき、前記伸縮軸が始終に前記モーター軸と噛み合っている。
【０００８】
有益なように、前記砕き装置は両側の前記鉛直ネジ穴のうち対称中心に近接している片側内壁の中に設置された方向変えチャンバを含み、前記方向変えチャンバの中には主動傘歯車が回転できるように設置され、前記伸縮軸の下端が前記方向変えチャンバの中に伸びており、且つ前記主動傘歯車に固定的に連結され、前記主動傘歯車の右端には従動傘歯車が噛み合うように設置され、前記従動傘歯車の中にはジブ軸が固定的に連結され、前記方向変えチャンバの左側内壁の中には回転チャンバが設置され、前記回転チャンバの中には回転輪が回転できるように設置され、前記ジブ軸の左端が前記回転チャンバの中に伸びており、且つ前記回転輪に固定的に連結され、前記回転輪の左端にはコンロッドがヒンジで連結され、前記回転チャンバの下側内壁の中には下方に開口した凹溝が形成されており、前記凹溝の中にはスライドブロックがスライドできるように設置され、前記コンロッドの下端が前記凹溝の中に伸びており、且つ前記スライドブロックにヒンジで連結され、前記スライドブロックの中には小モーターが固定的に設置され、前記砕き軸の上端が前記小モーターに動力が伝達できるように連結され、前記スライドブロックが上下に往復してスライドすることができ、更に前記砕き軸を上下に往復してスライド連動させて生ゴミを細々に砕くことができ、また前記小モーターが前記砕き軸を駆動して回転させることができ、それによって生ゴミを砕くことができる。
【０００９】
有益なように、前記時間遅延装置は前記プッシュピストンの左右端面の中に左右対称的に固定的に設置されたラックを含み、前記砕きチャンバの左右両側内壁の中には噛み合い溝が対称的に、且つ連通するように形成されており、前記噛み合い溝の中には噛み合い歯車が回転できるように設置され、前記噛み合い歯車のうち対称中心に近接している一端がそれぞれ両側の前記ラックに噛み合うように連結され、前記噛み合い歯車の中にはねじれ回転軸が固定的に連結され、前記噛み合い溝の前側内壁の中には空きチャンバが設置され、前記ねじれ回転軸の前端が前記空きチャンバの中に伸びており、且つ前記ねじれ回転軸の前端には固定輪が固定的に連結され、前記固定輪の前側には離合歯車が回転できるように設置され、前記離合歯車が前記ねじれ回転軸に回転できるように連結され、前記固定輪と前記離合歯車との間にはぜんまいが固定的に連結され、前記空きチャンバの中には離合スライドブロックがスライドできるように設置され、前記離合スライドブロックの中には制限穴が前後に貫通するように設置され、前記離合歯車が前記制限穴の中に位置している時に回転できなく、前記離合歯車の中には前方に開口した連結穴が設置され、前記離合スライドブロックの前端にはスライド軸が回転できるように連結され、前記スライド軸の後端が前記連結穴の中に伸びて前記離合歯車と連結されることができ、前記空きチャンバの前側内壁の中には伝動チャンバが設置され、前記スライド軸の前端が前記伝動チャンバの中に伸びており、且つ前記開閉装置に連結されている。
【００１０】
好ましくは、前記空きチャンバのうち対称中心から離れている片側内壁の中には方向ガイド溝が連通するように形成されており、前記方向ガイド溝の中には方向ガイドスライドブロックがスライドできるように設置され、前記方向ガイドスライドブロックのうち対称中心に近接している一端が前記離合スライドブロックに固定的に連結され、前記方向ガイドスライドブロックの後端と前記方向ガイド溝の後側内壁との間には電磁バネが固定的に連結され、前記電磁バネを通電させて前記方向ガイドスライドブロックをスライド連動させることができ、更に前記離合スライドブロックをスライド連動させることができる。
【００１１】
有益なように、前記プッシュピストンが下降する過程において、前記ラックが前記噛み合い歯車とが始終に噛み合った状態にある。
【００１２】
有益なように、前記離合スライドブロックが後方へスライドすると、前記スライド軸がまずに前記離合歯車と連結され、その後、前記離合歯車が前記制限穴から完全に離脱する。
【００１３】
有益なように、前記開閉装置は前記伝動チャンバの中に回転できるように設置されることができる連結歯車を含み、前記スライド軸の前端が前記伝動チャンバの中に伸びており、且つ前記連結歯車にスプラインによって連結され、前記連結歯車のうち対称中心から離れている一端には固定歯車が噛み合うように設置され、前記固定歯車の中には固定回転軸が固定的に連結され、前記固定歯車のうち対称中心から離れている片側には前記固定回転軸に固定的に連結された主動プーリが回転できるように設置され、前記伝動チャンバの下側内壁の中には連通溝が連通するように形成されており、前記連通溝の中には従動プーリが回転できるように設置され、前記主動プーリと前記従動プーリとの間には伝動ベルトが連結され、前記従動プーリの中には横向きスクリューが固定的に連結され、前記連通溝のうち対称中心に近接している片側内壁の中には収納溝が連通するように形成されており、前記収納溝のうち対称中心に近接している片側内壁が前記連通穴に連通しており、前記収納溝の中には止め板がスライドできるように設置され、前記止め板のうち対称中心に近接している一端が前記連通穴の中に伸びており、前記止め板の中には対称中心に背を向ける方向に開口した横向きネジ穴が設置され、両側の前記横向きスクリューのうち対称中心に近接している一端がそれぞれ両側の前記横向きネジ穴の中に伸びており、且つ前記止め板とネジ山によって連結されている。
【発明の効果】
【００１４】
本発明の有益な効果は：最初に生ゴミを集めて砕きチャンバの中に入れ、土壌の中の微生物によって生ゴミを分解する速度を早めるため、砕き軸を通して大きの生ゴミを砕き、それによって微生物と生ゴミとの接触面積を増加でき、プッシュピストンを通して生ゴミを土壌の中に押して埋め立てる。
【図面の簡単な説明】
【００１５】
説明しやすいために、本発明を下記の具体的な実施例及び附図をもって詳しく説明する。下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の都市の生ゴミを集中埋め立てて分解する装置の全体構成概略図
【図２】図２は図１の「Ａ」の拡大概略図
【図３】図３は図１の「Ｂ」の拡大概略図
【図４】図４は図１の「Ｃ」の拡大概略図
【図５】図５は図３の「Ｄ―Ｄ」方向の構成概略図
【図６】図６は図５の「Ｅ」の拡大概略図
【発明を実施するための形態】
【００１７】
本発明は都市の生ゴミを集中埋め立てて分解する装置に関わり、主に都市にある大量の生ゴミを集めて埋め立てるのに応用し、下記に本発明の付図を合わせて本発明にさらなる説明を行う。
【００１８】
本発明に説明する都市の生ゴミを集中埋め立てて分解する装置は、土壌１１を含み、前記土壌１１の上端にはスタンド１５が固定的に設置され、前記土壌１１の上端面の中にはケース１４が固定的に設置され、前記ケース１４の中には上方に開口した砕きチャンバ６５が設置され、生ゴミを集めて前記砕きチャンバ６５の中に置き、前記砕きチャンバ６５の中にはプッシュピストン２６がスライドできるように設置され、前記プッシュピストン２６と前記スタンド１５との間には昇降装置１０３が連結され、前記昇降装置１０３は前記プッシュピストン２６を駆動して上下にスライドさせることができ、前記プッシュピストン２６の中には砕き装置１００が設置され、前記砕き装置１００は砕き軸３７によって生ゴミを細々に砕くことができ、前記砕き装置１００が前記昇降装置１０３に回転できるように連結され、前記砕きチャンバ６５の下側内壁の中には下方に開口した連通穴５０が連通するように設置され、前記ケース１４の下端には外部連結パイプ１２が固定的に連結され、前記外部連結パイプ１２の中には円錐形穴１３が上下に貫通するように設置され、前記プッシュピストン２６は生ゴミを推し動かして前記連通穴５０と前記円錐形穴１３とを通過させることができ、更に生ゴミを前記土壌１１の中に埋め立て、前記土壌１１の中の微生物によって生ゴミを分解し、前記砕きチャンバ６５の下側内壁の中には開閉装置１０２が設置され、前記開閉装置１０２は前記円錐形穴１３と前記砕きチャンバ６５とを仕切り又は繋げることができ、前記プッシュピストン２６と前記ケース１４との間には時間遅延装置１０１が噛み合うように連結され、前記時間遅延装置１０１と前記開閉装置１０２との間が噛み合うように連結され、前記時間遅延装置１０１は前記開閉装置１０２を遅延駆動し、それによって前記砕き軸３７は生ゴミを十分に砕くことができる。
【００１９】
実施例によって、下記に前記昇降装置１０３について詳しく説明し、前記昇降装置１０３は前記スタンド１５の中に設置された歯車チャンバ１６を含み、前記歯車チャンバ１６の中には主動平歯車２１が回転できるように設置され、前記主動平歯車２１の中にはモーター軸１８が固定的に連結され、前記歯車チャンバ１６の上側内壁の中には大モーター２２が固定的に設置され、前記モーター軸１８が前記大モーター２２に動力が伝達できるように連結され、前記モーター軸１８の中には下方に開口したスプライン溝２０が形成されており、前記スプライン溝２０の中には伸縮軸１９がスプラインによって連結され、前記伸縮軸１９の下端が前記砕き装置１００に連結され、前記主動平歯車２１の左右両端が対称で、且つ前記主動平歯車２１の左右両端には従動平歯車２３が噛み合うように設置され、前記従動平歯車２３の中には鉛直スクリュー１７が固定的に連結され、前記プッシュピストン２６の中には上方に開口した鉛直ネジ穴３５が左右対称的に設置され、二本の前記鉛直スクリュー１７の下端がそれぞれ両側の前記鉛直ネジ穴３５の中に伸びており、且つ前記プッシュピストン２６とネジ山によって連結され、前記大モーター２２を始動した後、前記モーター軸１８と前記伸縮軸１９とによって前記砕き装置１００を駆動することができ、それと同時に前記主動平歯車２１によって前記従動平歯車２３を回転連動させ、更に前記鉛直スクリュー１７を回転連動させ、更に前記プッシュピストン２６を昇降連動させて前記砕きチャンバ６５の中の生ゴミを押すことができる。
【００２０】
有益なように、前記伸縮軸１９が前記スプライン溝２０の中でスライドでき、前記伸縮軸１９が始終に前記モーター軸１８と噛み合っている。
【００２１】
実施例によって、下記に前記砕き装置１００について詳しく説明し、前記砕き装置１００は両側の前記鉛直ネジ穴３５のうち対称中心に近接している片側内壁の中に設置された方向変えチャンバ２４を含み、前記方向変えチャンバ２４の中には主動傘歯車４４が回転できるように設置され、前記伸縮軸１９の下端が前記方向変えチャンバ２４の中に伸びており、且つ前記主動傘歯車４４に固定的に連結され、前記主動傘歯車４４の右端には従動傘歯車２５が噛み合うように設置され、前記従動傘歯車２５の中にはジブ軸４２が固定的に連結され、前記方向変えチャンバ２４の左側内壁の中には回転チャンバ４３が設置され、前記回転チャンバ４３の中には回転輪４１が回転できるように設置され、前記ジブ軸４２の左端が前記回転チャンバ４３の中に伸びており、且つ前記回転輪４１に固定的に連結され、前記回転輪４１の左端にはコンロッド４０がヒンジで連結され、前記回転チャンバ４３の下側内壁の中には下方に開口した凹溝３６が形成されており、前記凹溝３６の中にはスライドブロック３８がスライドできるように設置され、前記コンロッド４０の下端が前記凹溝３６の中に伸びており、且つ前記スライドブロック３８にヒンジで連結され、前記スライドブロック３８の中には小モーター３９が固定的に設置され、前記砕き軸３７の上端が前記小モーター３９に動力が伝達できるように連結され、前記スライドブロック３８が上下に往復してスライドすることができ、更に前記砕き軸３７を上下に往復してスライド連動させて生ゴミを細々に砕くことができ、また前記小モーター３９が前記砕き軸３７を駆動して回転させることができ、それによって生ゴミを砕くことができる。
【００２２】
実施例によって、下記に前記時間遅延装置１０１について詳しく説明し、前記時間遅延装置１０１は前記プッシュピストン２６の左右端面の中に左右対称的に固定的に設置されたラック３４を含み、前記砕きチャンバ６５の左右両側内壁の中には噛み合い溝５１が対称的に、且つ連通するように形成されており、前記噛み合い溝５１の中には噛み合い歯車５３が回転できるように設置され、前記噛み合い歯車５３のうち対称中心に近接している一端がそれぞれ両側の前記ラック３４に噛み合うように連結され、前記噛み合い歯車５３の中にはねじれ回転軸５２が固定的に連結され、前記噛み合い溝５１の前側内壁の中には空きチャンバ５４が設置され、前記ねじれ回転軸５２の前端が前記空きチャンバ５４の中に伸びており、且つ前記ねじれ回転軸５２の前端には固定輪５５が固定的に連結され、前記固定輪５５の前側には離合歯車６４が回転できるように設置され、前記離合歯車６４が前記ねじれ回転軸５２に回転できるように連結され、前記固定輪５５と前記離合歯車６４との間にはぜんまい５６が固定的に連結され、前記空きチャンバ５４の中には離合スライドブロック６０がスライドできるように設置され、前記離合スライドブロック６０の中には制限穴５７が前後に貫通するように設置され、前記離合歯車６４が前記制限穴５７の中に位置している時に回転できなく、前記離合歯車６４の中には前方に開口した連結穴５８が設置され、前記離合スライドブロック６０の前端にはスライド軸５９が回転できるように連結され、前記スライド軸５９の後端が前記連結穴５８の中に伸びて前記離合歯車６４と連結されることができ、前記空きチャンバ５４の前側内壁の中には伝動チャンバ３１が設置され、前記スライド軸５９の前端が前記伝動チャンバ３１の中に伸びており、且つ前記開閉装置１０２に連結されている。
【００２３】
有益なように、前記空きチャンバ５４のうち対称中心から離れている片側内壁の中には方向ガイド溝６３が連通するように形成されており、前記方向ガイド溝６３の中には方向ガイドスライドブロック６１がスライドできるように設置され、前記方向ガイドスライドブロック６１のうち対称中心に近接している一端が前記離合スライドブロック６０に固定的に連結され、前記方向ガイドスライドブロック６１の後端と前記方向ガイド溝６３の後側内壁との間には電磁バネ６２が固定的に連結され、前記電磁バネ６２を通電させて前記方向ガイドスライドブロック６１をスライド連動させることができ、更に前記離合スライドブロック６０をスライド連動させることができる。
【００２４】
有益なように、前記プッシュピストン２６が下降する過程において、前記ラック３４が前記噛み合い歯車５３とが始終に噛み合った状態にある。
【００２５】
有益なように、前記離合スライドブロック６０が後方へスライドすると、前記スライド軸５９がまずに前記離合歯車６４と連結され、その後、前記離合歯車６４が前記制限穴５７から完全に離脱する。
【００２６】
実施例によって、下記に前記開閉装置１０２について詳しく説明し、前記開閉装置１０２は前記伝動チャンバ３１の中に回転できるように設置されることができる連結歯車２７を含み、前記スライド軸５９の前端が前記伝動チャンバ３１の中に伸びており、且つ前記連結歯車２７にスプラインによって連結され、前記連結歯車２７のうち対称中心から離れている一端には固定歯車３０が噛み合うように設置され、前記固定歯車３０の中には固定回転軸２９が固定的に連結され、前記固定歯車３０のうち対称中心から離れている片側には前記固定回転軸２９に固定的に連結された主動プーリ２８が回転できるように設置され、前記伝動チャンバ３１の下側内壁の中には連通溝３２が連通するように形成されており、前記連通溝３２の中には従動プーリ４５が回転できるように設置され、前記主動プーリ２８と前記従動プーリ４５との間には伝動ベルト３３が連結され、前記従動プーリ４５の中には横向きスクリュー４６が固定的に連結され、前記連通溝３２のうち対称中心に近接している片側内壁の中には収納溝４９が連通するように形成されており、前記収納溝４９のうち対称中心に近接している片側内壁が前記連通穴５０に連通しており、前記収納溝４９の中には止め板４８がスライドできるように設置され、前記止め板４８のうち対称中心に近接している一端が前記連通穴５０の中に伸びており、前記止め板４８の中には対称中心に背を向ける方向に開口した横向きネジ穴４７が設置され、両側の前記横向きスクリュー４６のうち対称中心に近接している一端がそれぞれ両側の前記横向きネジ穴４７の中に伸びており、且つ前記止め板４８とネジ山によって連結されている。
【００２７】
下記に図１〜６を合わせて本発明の使用スッテプについて詳しく説明する：
【００２８】
初期状態の時、プッシュピストン２６が上限界位置にあり、且つ砕きチャンバ６５の外側に位置しており、この時、両側の止め板４８のうち対称中心に近接している一端が当接しており、この時、砕きチャンバ６５と円錐形穴１３と連通していなく、この時、離合歯車６４が制限穴５７の中に位置しており、この時、スライド軸５９と離合歯車６４とが噛み合っていない。
【００２９】
最初に、生ゴミを砕きチャンバ６５の中に入れ、それと同時に大モーター２２と小モーター３９とを始動し、大モーター２２がモーター軸１８を回転連動させ、更に主動平歯車２１を回転連動させ、更に従動平歯車２３を回転連動させ、更に鉛直スクリュー１７を回転連動させ、更にプッシュピストン２６を下降連動させて砕きチャンバ６５の中に伸び、更に生ゴミをプッシュし、それと同時に小モーター３９が砕き軸３７を回転連動させて生ゴミを砕き、モーター軸１８が回転して伸縮軸１９を回転連動させ、更に主動傘歯車４４を回転連動させ、更に従動傘歯車２５を回転連動させ、更にジブ軸４２によって回転輪４１を回転連動させ、更にコンロッド４０を上下に往復してスライド連動させ、更にスライドブロック３８を推し動かして上下に往復してスライドさせ、更に砕き軸３７を連動させて上下に往復してスライド連動させて生ゴミを砕き、プッシュピストン２６が下方へスライドする過程において、ラック３４によって噛み合い歯車５３を回転連動させ、ねじれ回転軸５２によって固定輪５５を回転連動させ、この時、離合歯車６４が制限穴５７の中に位置しており、この時、離合歯車６４が回転できなく、固定輪５５と離合歯車６４とが対向回転を行え、更にぜんまいをねじってぜんまいにエネルギーを有させ、砕き軸３７によって生ゴミを十分に砕いた後、電磁バネ６２を通電させ、更に方向ガイドスライドブロック６１を後方へスライド連動させ、更に離合スライドブロック６０を後方へスライド連動させ、更にスライド軸５９をスライド連動させて後方へ連結穴５８の中に入らせて離合歯車６４と連結し、それと同時に離合歯車６４がスライドして制限穴５７を出て、スライド軸５９はまずに離合歯車６４と連結され、その後、離合歯車６４が完全に制限穴５７から離脱し、離合歯車６４が完全に制限穴５７から離脱した後、ぜんまい５６の弾力作用のもとで、離合歯車６４を回転連動させ、この時に離合歯車６４の回転速度は固定輪５５の回転速度より大きく、離合歯車６４がスライド軸５９によって連結歯車２７を回転連動させ、更に固定歯車３０を回転連動させ、更に固定回転軸２９によって主動プーリ２８を回転連動させ、それによって伝動ベルト３３によって従動プーリ４５を回連動させ、更に横向きスクリュー４６を回転連動させ、更に止め板４８をスライド連動させて連通穴５０を開け、この時、砕きチャンバ６５と円錐形穴１３とを連通させ、この時、プッシュピストン２６が下方へスライドし続け、且つ細々に砕かれた生ゴミを推し動かして連通穴５０と円錐形穴１３とを通過させて土壌１１の中に入らせ、連通穴５０が完全に開けられた後、ぜんまい５６のエネルギーは完全に放出され、離合歯車６４が回転しなくなり、ぜんまい５６を逆方向にねじってエネルギーを蓄積し、プッシュピストン２６が完全に生ゴミを砕きチャンバ６５の外部に推したまでぜんまい５６を逆方向にねじってエネルギーを蓄積することを止め、この時に小モーター３９を止めて大モーター２２を逆方向に回転させ、プッシュピストン２６が上昇し、固定輪５５が逆方向に回転し、ぜんまい５６がエネルギーを放出して離合歯車６４を回転連動させ、更に止め板４８をスライドさせて連通穴５０を閉じ、ラック３４が噛み合い歯車５３との噛み合いから離脱するまで電磁バネ６２を停電させる。
【００３０】
本発明の有益な効果は：最初に生ゴミを集めて砕きチャンバの中に入れ、土壌の中の微生物によって生ゴミを分解する速度を早めるため、砕き軸を通して大きの生ゴミを砕き、それによって微生物と生ゴミとの接触面積を増加でき、プッシュピストンを通して生ゴミを土壌の中に押して埋め立てる。
【００３１】
上記の方式によって、当業者は本発明の範囲内で作動モードに基づいて様々な変わりを行える。